(57)【要約】【課題】種々の配索経路に対応できる汎用性の高い電線案内用プロテクタを提供する。【解決手段】接続用アダプタ２と方向規制プロテクタ３から構成された電線案内用プロテクタ１であり、接続用アダプタ２は、コネクタ４の電線引出部７から引き出された電線を収容して方向規制プロテクタ３へ案内する。方向規制プロテクタ３は、一側結合部２５、２５に接続した接続用アダプタ２後端から案内された電線を電線挿通規制部２７に収容し、所定の方向へ向けて電線を方向規制し、他側結合部２６、２６に接続したコルゲートチューブ２２内に電線を案内する。これにより、コネクタ４から引き出された電線を所定の方向へ向けて方向規制し、電線を自在に配索することができる。【選択図】　　　図１
2004120948.tif 000002
【特許請求の範囲】
【請求項１】
コネクタの電線引出部から引き出された電線を収容すると共に所定の方向へ向けて方向規制して案内する電線案内用プロテクタであって、前記コネクタの電線引出部から引き出された電線が収容されて所定の方向へ向けて電線を方向規制する方向規制プロテクタと、この方向規制プロテクタを前記コネクタの電線引出部へ連結すると共に前記コネクタから引き出された電線を前記方向規制プロテクタ内へ案内する接続用アダプタとからなることを特徴とする電線案内用プロテクタ。
【請求項２】
請求項１記載の電線案内用プロテクタであって、前記方向規制プロテクタが、プロテクタ本体部と前記プロテクタ本体部と合体するカバー体とから形成され、前記プロテクタ本体部とカバー体には、前記接続用アダプタと結合する一側結合部と、コルゲートチューブと結合する他側結合部と、前記プロテクタ本体部とカバー体との間に収容された電線を所定の方向へ向けて方向規制する電線挿通規制部とが形成されていることを特徴とする電線案内用プロテクタ。
【請求項３】
請求項１又は２記載の電線案内用プロテクタであって、前記接続用アダプタが、アダプタ本体部と前記アダプタ本体部と合体するカバー体とから形成され、前記アダプタ本体部とカバー体には、前記コネクタと結合するコネクタ結合部と、前記方向規制プロテクタと結合する方向規制プロテクタ結合部と、前記アダプタ本体部とカバー体との間に収容された電線を前記方向規制プロテクタへ向けて挿通する電線挿通部とが形成されていることを特徴とする電線案内用プロテクタ。
【請求項４】
請求項１乃至請求項３のいずれか一項に記載の電線案内用プロテクタであって、前記方向規制プロテクタが前記接続用アダプタに対して回転自在であることを特徴とする電線案内用プロテクタ。
【請求項５】
請求項４記載の電線案内用プロテクタであって、複数個の前記方向規制プロテクタが連続して接続されていることを特徴とする電線案内用プロテクタ。
【請求項６】
プロテクタ本体部と前記プロテクタ本体部と合体するカバー体とからなり、前記プロテクタ本体部とカバー体には、接続用アダプタと結合する一側結合部と、コルゲートチューブと結合する他側結合部と、接続用アダプタの電線挿通部から引き出された電線を収容すると共に所定の方向へ向けて方向規制して案内し、前記プロテクタ本体部とカバー体との間に収容された電線を所定の方向へ向けて方向規制する電線挿通規制部とが形成されていることを特徴とする方向規制プロテクタ。
【発明の詳細な説明】
【０００１】
【発明の属する技術分野】
本発明は、ワイヤーハーネスを収容して保護すると共に所定の方向へ案内するプロテクタに係り、特にワイヤーハーネスを車輌ボディ等の取付側に沿って配索する際に使用するプロテクタに関する。
【０００２】
【従来の技術】
従来、自動車等の車輌に配索される複数本の電線（ワイヤーハーネス）には、電線の保護、及び合成樹脂製のコネクタから引き出された電線の配索経路を規制する等の目的から、電線を合成樹脂製のプロテクタ内部に貫通させて組み付けている（例えば、特許文献１参照）。
【０００３】
また、複数本の電線が、コルゲートチューブを介してプロテクタ本体内に収容、保持された状態で配索されるものもある（例えば、特許文献２参照）。
【０００４】
更に、複数本の電線を内部に収納して保護するコルゲートチューブを所定の屈曲形状に規制し、形状が保持された状態で車輌内に配索する方法もある。この場合、コルゲートチューブの屈曲形状は、コルゲートクランプによって保持固定されている（例えば、特許文献３参照）。
【０００５】
【特許文献１】
特開２００２−５１４２６号公報（第２−６頁、第１図）
【０００６】
【特許文献２】
特開２００１−３５９２１７号公報（第２−４頁、第１図）
【０００７】
【特許文献３】
特開平１１−８２８１３号公報（第２−３頁、第１図）
【０００８】
【発明が解決しようとする課題】
ところが、上述した特許文献１、２等の技術では、複数本の電線の収容作業性を向上させる点では良いが、様々な配索経路に対応させるためには、配索経路の形状毎にプロテクタを用意しなければならない。このため、プロテクタの部品数が多くなり、汎用性に欠けていた。
【０００９】
また、上述した特許文献３等の技術では、配索経路の形状にあわせてコルゲートクランプの曲部の形状を設定しなければならないため、配索経路の形状毎にコルゲートクランプを用意しなければならず、汎用性に欠けていた。更に、電線の配索経路が広く、電線を大きく取り回すことができる場合は良いが、狭いスペースで配索する場合には、電線を保護するコルゲートチューブが曲がり切れないために、電線を自在に配索できないという不具合があった。
【００１０】
そこで本発明は、上記した従来技術の欠点を除くためになされたものであって、その目的とするところは、種々の配索経路に対応できる汎用性の高い電線案内用プロテクタを提供することである。
【００１１】
【課題を解決するための手段】
上記目的を達成するため請求項１記載の発明では、コネクタの電線引出部から引き出された電線を収容すると共に所定の方向へ向けて方向規制して案内する電線案内用プロテクタであって、前記コネクタの電線引出部から引き出された電線が収容されて所定の方向へ向けて電線を方向規制する方向規制プロテクタと、この方向規制プロテクタを前記コネクタの電線引出部へ連結すると共に前記コネクタから引き出された電線を前記方向規制プロテクタ内へ案内する接続用アダプタとからなることを特徴とする。
【００１２】
この電線案内用プロテクタでは、コネクタから引き出された電線は接続用アダプタを挿通した後、方向規制プロテクタに案内されて、方向規制プロテクタにより所定の方向に規制されて引き出され、配索される。
【００１３】
また、接続用アダプタを用いることにより、複数種のコネクタと方向規制プロテクタとを接続できるので、コネクタに合わせた接続用アダプタを用意することで、方向規制プロテクタを共用して用いることができ、汎用性が向上する。更に、方向規制プロテクタによって、所定の方向へ電線を方向規制できるので、従来必要であったコルゲートクランプによる方向規制が不要になり、更に汎用性が向上する。また、方向規制プロテクタにより、従来コルゲートチューブが曲がりきれないような狭い配索経路の場合でも、電線を保護しつつ確実に所定の方向に自在に案内することができる。
【００１４】
請求項２記載の発明は、請求項１記載の電線案内用プロテクタであって、前記方向規制プロテクタが、プロテクタ本体部と前記プロテクタ本体部と合体するカバー体とから形成され、前記プロテクタ本体部とカバー体には、前記接続用アダプタと結合する一側結合部と、コルゲートチューブと結合する他側結合部と、前記プロテクタ本体部とカバー体との間に収容された電線を所定の方向へ向けて方向規制する電線挿通規制部とが形成されていることを特徴とする。
【００１５】
請求項２記載の発明では、コネクタから引き出された電線は、接続用アダプタを挿通し、方向規制プロテクタの一側結合部から方向規制プロテクタ内に案内され、電線挿通規制部により所定の方向に方向規制された後、他側結合部に結合したコルゲートチューブより引き出され、配索される。
【００１６】
請求項３記載の発明は、請求項１又は２記載の電線案内用プロテクタであって、前記接続用アダプタが、アダプタ本体部と前記アダプタ本体部と合体するカバー体とから形成され、前記アダプタ本体部とカバー体には、前記コネクタと結合するコネクタ結合部と、前記方向規制プロテクタと結合する方向規制プロテクタ結合部と、前記アダプタ本体部とカバー体との間に収容された電線を前記方向規制プロテクタへ向けて挿通する電線挿通部とが形成されていることを特徴とする。
【００１７】
請求項３記載の発明では、電線案内用プロテクタに方向規制プロテクタへ向けて電線を挿通する電線挿通部が形成されているため、コネクタから引き出された電線は保護されつつ確実に方向規制プロテクタに案内される。
【００１８】
請求項４記載の発明は、請求項１乃至請求項３のいずれか一項に記載の電線案内用プロテクタであって、前記方向規制プロテクタが前記接続用アダプタに対して回転自在であることを特徴とする。
【００１９】
請求項４記載の発明では、方向規制プロテクタが接続用アダプタに対して回転自在であるため、接続用アダプタを挿通した電線は、方向規制プロテクタの位置により所定の方向に規制されて自在に引き出され、配索される。
【００２０】
請求項５記載の発明は、請求項４記載の電線案内用プロテクタであって、複数個の前記方向規制プロテクタが連続して接続されていることを特徴とする。
【００２１】
請求項５記載の発明では、方向規制プロテクタが複数個接続されているため、電線は配索経路に合わせて自在に配索される。
【００２２】
請求項６記載の発明は、プロテクタ本体部と前記プロテクタ本体部と合体するカバー体とからなり、前記プロテクタ本体部とカバー体には、接続用アダプタと結合する一側結合部と、コルゲートチューブと結合する他側結合部と、接続用アダプタの電線挿通部から引き出された電線を収容すると共に所定の方向へ向けて方向規制して案内し、前記プロテクタ本体部とカバー体との間に収容された電線を所定の方向へ向けて方向規制する電線挿通規制部とが形成されていることを特徴とする。
【００２３】
この方向規制プロテクタでは、電線は配索経路に合わせて自在に方向規制され、配索される。
【００２４】
【発明の実施の形態】
以下、本発明にかかる電線案内用プロテクタの詳細を、図面に示す実施形態に基づいて説明する。
【００２５】
（第１実施形態）
図１は本発明の第１実施形態を示し、図３のＩ−Ｉ線に沿って切断した断面図である。図２は、図３のＩＩ−ＩＩ線に沿って切断した断面図である。図３は、本発明の第１実施形態を示し、電線案内用プロテクタ１にコネクタ４とコルゲートチューブ２２を組み付けた状態を示す斜視図である。図４は、本発明の実施の形態に係る方向規制プロテクタ３を示す分解斜視図である。
【００２６】
図１乃至図３に示すように、本実施形態の電線案内用プロテクタ１は、コネクタ４の電線引出部７から引き出された電線が収容されて所定の方向へ向けて電線を方向規制する方向規制プロテクタ３と、この方向規制プロテクタ３をコネクタ４の電線引出部７へ連結するとともにコネクタ４から引き出された電線を方向規制プロテクタ３内へ案内する接続用アダプタ２とからなる。
【００２７】
コネクタ４は、コネクタ本体５と、このコネクタ本体５に一体に形成されたフード部６と、コネクタ本体５の端子収容室（不図示）内に収容された端子金具（不図示）とで構成されている。フード部６内には、端子金具の相手端子との接触部が突設されている。また、端子金具に端末が接続された電線（不図示）は、電線引出部７から外部に引き出されている。そして、フード部６内に相手コネクタが嵌合した状態で、端子金具の接触部が相手端子と接触して電気的に接続される。
【００２８】
また、コネクタ４には、コネクタ本体５の外周方向全域にわたり、接続用アダプタ２と結合するためのアダプタ結合部８が設けられている。このアダプタ結合部８は、コネクタ本体５の外周方向全域に設けられた断面矩形状の突部９と、断面矩形状の凹部１０とで構成されている。このアダプタ結合部８には、接続用アダプタ２が接続される。
【００２９】
接続用アダプタ２は、アダプタ本体部１１とこのアダプタ本体部１１と合体するカバー体１２とから形成されている。アダプタ本体部１１とカバー体１２には、それぞれ一端側にコネクタ４と結合するコネクタ結合部１３、１３を備え、他端側に方向規制プロテクタ３と結合する方向規制プロテクタ結合部１４、１４を備えている。アダプタ本体部１１とカバー体１２との間は、コネクタ４の電線引出部７から引き出された電線を収容し、方向規制プロテクタ３へ向けて直線方向に電線を挿通する電線挿通部１５となっている。なお、方向規制プロテクタ結合部１４、１４は、コネクタ結合部１３、１３よりも径が小さくなっており、接続用アダプタ２内面の略中央部に設けられたリブ１６、１６付近で、コネクタ結合部１３、１３から方向規制プロテクタ結合部１４、１４に向かって縮径している。そして、この接続用アダプタ２は、方向規制プロテクタ結合部１４、１４の開口端より挿通した電線を方向規制プロテクタ３へ案内する。
【００３０】
アダプタ本体部１１とカバー体１２は、それぞれ底壁１１ａ、１２ａと側壁部１１ｂ、１１ｂ、１２ｂ、１２ｂとからなる上方が開口された矩形断面形状に形成されており、ヒンジ１７を介して一体成形されている。そして、カバー体１２をヒンジ１７を中心にして回動させ、カバー体１２の側壁部１２ｂ、１２ｂをアダプタ本体部１１の側壁部１１ｂ、１１ｂ内に嵌め込みながら押し込む。これにより、カバー体１２はアダプタ本体部１１に係合され、コネクタ４と方向規制プロテクタ３に一体的に組み付けられた角筒状の接続用アダプタ２を形成する。
【００３１】
コネクタ結合部１３、１３には、内面にコネクタ４の後端の電線引出部７に形成された突部９に対応して係合凹部１８、１８が形成され、コネクタ４の凹部１０に対応して係合凸部１９、１９がそれぞれ形成されている。そして、コネクタ４にアダプタ本体部１１を嵌合させた後、カバー体１２を被せることにより、コネクタ４と接続用アダプタ２とが一体化する。このとき、突部９が係合凹部１８、１８と係合し、凹部１０が係合凸部１９、１９にそれぞれ係合することによって、コネクタ４と接続用アダプタ２は連結し、軸方向の抜け止めがなされる。なお、係合凹部１８、１８ｂ及び係合凸部１９、１９は、それぞれ断面形状が同一であり、コネクタ４の外周面に形成された突部９及び凹部１０の形状に合わせてそれぞれ設定されている。
【００３２】
また、方向規制プロテクタ結合部１４、１４には、方向規制プロテクタ３の一側結合部と嵌合するための凸部２０、２０と凹部２１、２１が周方向全域に３組ずつそれぞれ形成されている。凸部２０、２０及び凹部２１、２１はコルゲートチューブ２２の周面に形成された環状の溝部２２ａの形状と略一致するように形成されている。
【００３３】
次に、方向規制プロテクタ３について説明する。図４に示すように、方向規制プロテクタ３は、プロテクタ本体部２３とプロテクタ本体部２３と合体するカバー体２４とから形成されている。プロテクタ本体部２３とカバー体２４には、それぞれ一端側に接続用アダプタ２と結合する一側結合部２５、２５を備え、他端側にコルゲートチューブ２２と結合する他側結合部２６、２６を備えている。一側結合部２５、２５と他側結合部２６、２６は互いに直交するように形成されている。そして、プロテクタ本体部２３とカバー体２４との間は、接続用アダプタ２の方向規制プロテクタ結合部１４、１４から案内された電線を一側結合部２５、２５より収容し、他側結合部２６、２６からコルゲートチューブ２２へ向けて直角方向に電線を挿通し方向規制する電線挿通規制部２７となっている。
【００３４】
プロテクタ本体部２３とカバー体２４は、それぞれ底壁２３ａ、２４ａと側壁部２３ｂ、２３ｂ、２４ｂ、２４ｂとからなる上方が開口された矩形断面形状に形成されており、ヒンジ２８を介して一体成形されている。そして、カバー体２４をヒンジ２８を中心にしてに回動させ、カバー体２４の側壁部２４ｂ、２４ｂに形成された係止枠２９、２９を、プロテクタ本体部２３の側壁部２３ｂ、２３ｂに形成された係止突起３０、３０に係合させて固定する。これにより、カバー体２４はプロテクタ本体部２３に係合され、接続用アダプタ２とコルゲートチューブ２２に一体に組み付けられた方向規制プロテクタ３を形成する。
【００３５】
一側結合部２５、２５には、外表面に凸部３１、３１が４組と凹部３２、３２が３組ずつ連続して蛇腹状に形成されており、接続用アダプタ２に形成された方向規制プロテクタ結合部１４、１４と係合する。また、他側結合部２６、２６の内表面には凸部３３、３３が３組ずつ形成されており、コルゲートチューブ２２の外表面に形成された溝部２２ａと係合するようになっている。また、他側結合部２６、２６内表面にはリブ３４、３４が設けられており、挿入された電線を固定する。なお、コルゲートチューブ２２の周面に連続的に形成された環状の溝部２２ａの形状と、一側結合部２５、２５外表面に形成された凸部３１、３１と凹部３２、３２の形状は同一である。
【００３６】
方向規制プロテクタ３と接続用アダプタ２とコルゲートチューブ２２を一体に組み付けるには、プロテクタ本体部２３の一側結合部２５に接続用アダプタ２の方向規制プロテクタ結合部１４を係合させ、プロテクタ本体部２３の他側結合部２６にコルゲートチューブ２２を係合させる。次に、カバー体２４をヒンジ２８を中心にしてに回動させ、カバー体２４の側壁部２４ｂ、２４ｂに形成された係止枠２９、２９を、プロテクタ本体部２３の側壁部２３ｂ、２３ｂに形成された係止突起３０、３０に係合させて固定する。このとき、接続用アダプタ２の方向規制プロテクタ結合部１４、１４に形成された凸部２０、２０が方向規制プロテクタ３の一側結合部２５、２５外表面に形成された凹部３２、３２とそれぞれ係合し、方向規制プロテクタ結合部１４、１４に形成された凹部２１、２１と方向規制プロテクタ３の一側結合部２５、２５外表面に形成された凸部３１、３１とがそれぞれ係合することによって、方向規制プロテクタ３と接続用アダプタ２とが連結する。また、方向規制プロテクタ３の他側結合部２６、２６に形成された凸部３３、３３と、コルゲートチューブ２２の周面に連続的に形成された環状の溝部２２ａがそれぞれ係合することによって、方向規制プロテクタ３とコルゲートチューブ２２とが連結する。連結した接続用アダプタ２、方向規制プロテクタ３、コルゲートチューブ２２はそれぞれ回転自在であるが、軸方向の抜け止めがなされている。
【００３７】
このように、本実施形態によれば、コネクタ４から引き出された電線は、接続用アダプタ２の電線挿通部１５を挿通することによって保護されつつ確実に直線方向に引き出され、方向規制プロテクタ３に案内され、方向規制プロテクタ３内の電線挿通規制部２７によって直角方向に方向規制され、方向規制プロテクタ３の他側結合部２６、２６に結合したコルゲートチューブ２２より引き出され、配索される。よって、コネクタ４から引き出された電線は、保護されつつ確実にコネクタ４に対して直角方向に引き出される。なお、方向規制プロテクタ３は接続用アダプタ２に対して回転自在であるため、配索経路に合わせて電線を立体的に引き出し、配索することも可能である。
【００３８】
また、接続用アダプタ２を用いているため、複数種のコネクタと方向規制プロテクタ３とを接続でき、コネクタの形状に合わせた接続用アダプタを用意することで方向規制プロテクタ３を共用して用いることができるため汎用性が向上する。更に、方向規制プロテクタ３によって、所定の方向へ電線を方向規制できるので、従来必要であったコルゲートクランプによる方向規制が不要になり、更に汎用性が向上する。更に、方向規制プロテクタ３により、従来コルゲートチューブが曲がりきれないような狭い配索経路の場合でも、電線を所定の方向に自在に案内することができる。
【００３９】
なお、本実施形態では、方向規制プロテクタ３は電線を９０度に曲げて方向規制したが、この方向規制角度は９０度に限定されるものではなく、９０度以下でも９０度以上であってもよい。
【００４０】
（第２実施形態）
以下、かかる電線案内用プロテクタの第２実施形態について図５乃至７を参照して説明する。図５は、本発明の第２実施形態を示し、電線案内用プロテクタ１にコネクタ４を組み付け、更に方向規制プロテクタ３を組み付けた状態を示す斜視図である。図６は、図５の裏面斜視図である。図７は、図５のＶＩＩ−ＶＩＩ線に沿って切断した断面図である。なお、上記第１実施形態と同一構成には同一の符号を付して説明の一部を省略する。
【００４１】
第１実施形態で説明したように、方向規制プロテクタ３の他側結合部２６、２６内表面には凸部３３、３３が形成されており、コルゲートチューブ２２の外周面に連続的に形成された環状の溝部２２ａの形状と係合するようになっている。また、コルゲートチューブ２２の溝部２２ａの形状と、方向規制プロテクタ３の一側結合部２５、２５外表面に形成された凸部２０、２０と凹部２１、２１は同一形状である。従って、方向規制プロテクタ３の他側結合部２６、２６に、別の方向規制プロテクタ３の一側結合部２５、２５を結合させることができる。
【００４２】
また、方向規制プロテクタ３は接続用アダプタ２に対して回転自在であるため、方向規制プロテクタ３と方向規制プロテクタ３は回転自在に結合する。従って、方向規制プロテクタ３が２個接続されていることにより、電線はコネクタ４に対してＵ字型等、配索経路に合わせて自在に方向規制することができる。
【００４３】
このように、本実施形態によれば、コネクタ４から引き出された電線は、接続用アダプタ２の電線挿通部１５を挿通することによって保護されつつ確実に直線方向に引き出され、方向規制プロテクタ３に案内され、方向規制プロテクタ３内の電線挿通規制部２７によって直角方向に方向規制され、更に方向規制プロテクタ３の他側結合部２６、２６に結合したもう一つの方向規制プロテクタ３によって更に直角方向に方向規制され、他側結合部２６、２６に結合したコルゲートチューブ２２より引き出され、配索される。よって、コネクタ４から引き出された電線は、保護されつつ確実に引き出され、配索される。
【００４４】
更に、方向規制プロテクタ３は、配索経路に合わせて複数個接続することが可能である。方向規制プロテクタ３は、接続用アダプタ２及び方向規制プロテクタ３に対して回転自在に接続できるため、コネクタ４から引き出された電線は、配索経路に合わせて自在に配索される。
【００４５】
また、接続用アダプタ２を用いているため、複数種のコネクタと方向規制プロテクタ３とを接続でき、コネクタの形状に合わせた接続用アダプタを用意することで、方向規制プロテクタを共用して用いることができ、汎用性が向上する。更に、方向規制プロテクタ３によって、所定の方向へ電線を方向規制できるので、従来必要であったコルゲートクランプによる方向規制が不要になり、更に汎用性が向上する。また、方向規制プロテクタ３により、従来コルゲートチューブが曲がりきれないような狭い配索経路の場合でも、電線を所定の方向に自在に案内することができる。
【００４６】
なお、本実施形態では、コネクタ４、接続用アダプタ２、方向規制プロテクタ３、コルゲートチューブ２２は平面状に連結しているため、電線は平面上に配索されるが、方向規制プロテクタ３は、接続用アダプタ２及び方向規制プロテクタ３に対して回転自在に接続できるため、コネクタ４から引き出された電線を配索経路に合わせて立体的に方向規制することも可能である。
【００４７】
また、本実施形態では、コルゲートチューブ２２の形状にあわせ、接続用アダプタ２の方向規制プロテクタ結合部１４、１４と方向規制プロテクタ３の一側結合部２５、２５及び他側結合部２６、２６は断面が円形状であるが、接続するチューブの形状にあわせて結合部の断面の形状は断面矩形状等にすることも可能である。そして、その形状にあわせて結合部の凹凸の形状を変えてもよい。
【００４８】
更に、本実施形態では、電線案内用プロテクタ１は接続用アダプタ２と方向規制プロテクタ３は別体に形成されているが、接続用アダプタ２に形成されているコネクタ結合部１３、１３と、方向規制プロテクタ３に形成されている他側結合部２６、２６とを結合部位だけ分割して、コネクタ４やコルゲートチューブを嵌合できる形状にすることにより、接続用アダプタ２と方向規制プロテクタ３とを一体形成することも可能である。
【００４９】
【発明の効果】
以上説明したように、請求項１記載の発明によれば、この電線案内用プロテクタでは、コネクタから引き出された電線は接続用アダプタを挿通した後、方向規制プロテクタに案内されるため、方向規制プロテクタにより所定の方向に規制されて引き出され、配索される。また、接続用アダプタを用いるため、複数種のコネクタと方向規制プロテクタとを接続できる。このため、コネクタに合わせた接続用アダプタを用意することで、方向規制プロテクタを共用して用いることができ、汎用性が向上する。更に、方向規制プロテクタによって、所定の方向へ電線を方向規制できるので、従来必要であったコルゲートクランプによる方向規制が不要になり、更に汎用性が向上する。また、方向規制プロテクタにより、従来コルゲートチューブが曲がりきれないような狭い配索経路の場合でも、電線を保護しつつ確実に所定の方向に自在に案内することができる。
【００５０】
請求項２記載の発明によれば、請求項１に記載された発明の効果に加えて、コネクタから引き出された電線は、方向規制プロテクタの一側結合部から方向規制プロテクタ内に案内され、電線挿通規制部により所定の方向に方向規制された後、他側結合部に結合したコルゲートチューブより引き出されたるため、自在に配索することができる。
【００５１】
請求項３記載の発明によれば、請求項１又は２に記載された発明の効果に加えて、電線案内用プロテクタに方向規制プロテクタへ向けて電線を挿通する電線挿通部が形成されているため、コネクタから引き出された電線を確実に方向規制プロテクタに送ることができる。
【００５２】
請求項４記載の発明によれば、請求項１乃至請求項３に記載された発明の効果に加えて、方向規制プロテクタが接続用アダプタに対して回転自在であるため、電線を自在に配索することができる。
【００５３】
請求項５記載の発明によれば、請求項４に記載された発明の効果に加えて、方向規制プロテクタが複数個接続されているため、配索経路に合わせて電線を自在に配索することができる。
【００５４】
請求項６記載の発明によれば、この方向規制プロテクタでは、配索経路に合わせて電線を自在に方向規制し、配索することができる。
【図面の簡単な説明】
【図１】本発明の第１実施形態を示し、図３のＩ−Ｉ線に沿って切断した断面図である。
【図２】本発明の第１実施形態を示し、図３のＩＩ−ＩＩ線に沿って切断した断面図である。
【図３】本発明の第１実施形態を示し、電線案内用プロテクタにコネクタを組み付けた状態を示す斜視図である。
【図４】本発明の実施の形態に係る方向規制プロテクタを示す分解斜視図である。
【図５】本発明の第２実施形態を示し、電線案内用プロテクタにコネクタを組み付け、更に方向規制プロテクタを組み付けた状態を示す斜視図である。
【図６】本発明の第２実施形態を示し、図５に示す図の裏面斜視図である。
【図７】本発明の第２実施形態を示し、図５のＶＩＩ−ＶＩＩ線に沿って切断した断面図である。
【符号の説明】
１　電線案内用プロテクタ
２　接続用アダプタ
３　方向規制プロテクタ
４　コネクタ
７　電線引出部
２２　コルゲートチューブ
２５　一側結合部
２６　他側結合部
２７　電線挿通規制部
【図１】
2004120948.tif 000003
【図２】
2004120948.tif 000004
【図３】
2004120948.tif 000005
【図４】
2004120948.tif 000006
【図５】
2004120948.tif 000007
【図６】
2004120948.tif 000008
【図７】
2004120948.tif 000009